(57)【特許請求の範囲】
【請求項１】
分岐した２本のコードのうちの一方のコードに設けられた第１のストラップホルダーと、他方のコードに設けられ、前記第１のストラップホルダーに係脱可能な第２のストラップホルダーとからなり、イアホン装着時に首の後部で係合させ、ネックレス状のコード環状部を形成するイアホンのストラップホルダーにおいて、
前記第１のストラップホルダーに、前記第２のストラップホルダーと対向する面が開放され、内周面に第１の突部が形成された円筒部を形成し、
前記第２のストラップホルダーの前記第１のストラップホルダーとの対向面に、前記第１のストラップホルダーの前記円筒部の内部に挿入可能で、外周面に、前記第１の突部に当接可能な第２の突部が形成された円柱部を形成し、
前記第１の突部、前記第２の突部のうち、少なくともどちらか一方の突部は弾性を有し、
前記第１の突部、前記第２の突部のうち、少なくともどちらか一方の突部は、周方向全域にわたって形成されていることを特徴とするイアホンのストラップホルダー。
【請求項２】
第２のストラップホルダーの前記円柱部を前記第１のストラップホルダーと対向する面が開放された中空の円柱部とし、
前記第１のストラップホルダーの前記円筒部の内部に、前記第２のストラップホルダーとの対向面が開放され、前記第２のストラップホルダーの円柱部の内径より小さな外径で、前記円筒部の開放面より外部に突出するガイド円筒部を形成し、
前記第２のストラップホルダーの前記中空の円柱部の内部に、前記第１のストラップホルダーのガイド円筒部の内径より小さな外径で、前記第２のストラップホルダーの前記中空の円柱部より外部に突出するガイド円柱部を形成したことを特徴とする請求項１記載のイアホンのストラップホルダー。
【請求項３】
前記第１のストラップホルダー、前記第２のストラップホルダーにコードが挿通する穴を設け、
前記第１のストラップホルダーのガイド円筒部に前記第２のストラップホルダーのガイド円柱部が係合した際に、前記コードが前記ガイド円筒部、前記ガイド円柱部により前記穴の壁面に押圧されるように構成したことを特徴とする請求項２記載のイアホンのストラップホルダー。
【請求項４】
前記第１のストラップホルダー、前記第２のストラップホルダーの表面に把持部を形成したことを特徴とする請求項１乃至３のいずれかに記載のイアホンのストラップホルダー。
【発明の詳細な説明】
【０００１】
【発明の属する技術分野】
本発明は、分岐した２本のコードのうちの一方のコードに設けられた第１のストラップホルダーと、他方のコードに設けられ、前記第１のストラップホルダーに係脱可能な第２のストラップホルダーとからなり、イアホン装着時に首の後部で係合させ、ネックレス状のコード環状部を形成するイアホンのストラップホルダーに関する。
【０００２】
【従来の技術】
図７は従来のイアホンの構成図、図８は図７のイアホンを装着した場合の斜視図である。
【０００３】
これらの図において、イアホン１は、再生機器に接続されるプラグ３と、耳に装着されるイアホン本体５，７と、プラグ３，イアホン本体５，７を接続するコード９，１１とに大別される。
【０００４】
そして、コード９，１１の中間部には、再生音量を調整するボリュームやイアホン１が接続される再生機器のコントールを行なうボックス１３が設けられ、ボックス１３とプラグ３との間のコード９，１１は一体化され、ボックス１３と各イアホン本体５，７との間のコード９，１１は分離されている。
【０００５】
更に、ボックス１３の重量により、イアホン本体５，７が耳から外れるのを防止するために、ボックス１３には衣服に取り付けられるフック（図示せず）が設けられている。
【０００６】
このような構成のイアホン１を装着した場合、ボックス１３と各イアホン本体５，７間の分離したコード９，１１を引っ掛けると、耳からイアホン本体５，７が外れる場合がある。
【０００７】
又、ボックス１３を操作してる際に、ボックス１３を移動させても、同様である。
このような問題点を解決するために、図９および図１０に示すような構成のイアホンが提案されている。
【０００８】
図において、ボックス１３と各イアホン本体５，７間の分離したコード９，１１にストラップホルダー２１が設けられている。
このストラップホルダー２１は、コード９に設けられた第１のストラップホルダー２３と、コード１１に設けられ、第１のストラップホルダー２３に係脱可能な第２のストラップホルダー２５とからなっている。
【０００９】
そして、図１０に示すように、イアホン装着時に首の後部で第１のストラップホルダー２３と第２のストラップホルダー２５とを係合させ、ネックレス状のコード環状部２７を形成する。
【００１０】
このようなコード環状部２７を形成することにより、コード９，１１を引っ掛けても、耳からイアホン本体５，７が外れにくくなる。
又、ボックス１３を操作してる際に、ボックス１３を移動させても、同様に耳からイアホン本体５，７が外れにくくなる。
【００１１】
ここで、図１１および図１２を用いてストラップホルダー２１の構造の一例を説明する。
これらの図において、第１のストラップホルダー２３，第２のストラップホルダー２５は、それぞれ略中空の半球状である。
【００１２】
第１のストラップホルダー２３の開放面近傍の外周面には、外側段部２３ａが全周方向に沿って形成され、第２のストラップホルダー２５の開放面近傍の内周面には、第１のストラップホルダー２３の外側段部２３ａに係合可能な内側段部２５ａが全周方向に沿って形成されている。
【００１３】
又、第１のストラップホルダー２３には、その内部から開放面を介して外側へ突出する舌部２３ｂが、第２のストラップホルダー２５には、その内部から開放面を介して外側へ突出する舌部２５ｂが形成されている。
【００１４】
そして、第１のストラップホルダー２３の外側段部２３ａと第２のストラップホルダー２５の内側段部２５ａとを係合させ、第１のストラップホルダー２３と第２のストラップホルダー２５とを一体化した際に、第１のストラップホルダー２３の舌部２３ｂと第２のストラップホルダー２５の舌部２５ｂとが重なり合うように、舌部２３ｂ，２５ｂは設けられている。
【００１５】
そして、第１のストラップホルダー２３の舌部２３ｂの第２のストラップホルダー２５の舌部２５ｂとの対向面には、突部２３ｃが形成されている。
同様に、第２のストラップホルダー２５の舌部２５ｂの第１のストラップホルダー２３の舌部２３ｂとの対向面には、第１のストラップホルダー２３の突部２３ｃと当接可能な突部２５ｃが形成されている。
【００１６】
上記構成の第１のストラップホルダー２３と第２のストラップホルダー２５とを一体化させるには、図１２に示すように、第１のストラップホルダー２３の舌部２３ｂと、第２のストラップホルダー２５の舌部２５ｂとが重なりあうことが可能な状態に、第１のストラップホルダー２３、第２のストラップホルダー２５を保持し、第１のストラップホルダー２３を矢印Ｉ方向に移動させる。
【００１７】
すると、第１のストラップホルダー２３の舌部２３ｂの突部２３ｃが第２のストラップホルダー２５の舌部２５ｂの突部２５ｃを乗り越え、第１のストラップホルダー２３と第２のストラップホルダー２５との一体化が完了する。
【００１８】
【発明が解決しようとする課題】
しかし、上記構成のストラップホルダー２１には、以下のような問題点がある。
【００１９】
（１）第１のストラップホルダー２３と、第２のストラップホルダー２５とを一体化する際には、第１のストラップホルダー２３の舌部２３ｂと第２のストラップホルダー２５の舌部２５ｂとが重なりあうことが可能な状態に第１のストラップホルダー２３と、第２のストラップホルダー２５とを位置させなければならない。
【００２０】
即ち、周方向の位置決めが必要である。
特に、このストラップホルダー２１は、首の後で第１のストラップホルダー２３と、第２のストラップホルダー２５とを一体化するものであるので、非常に扱いにくい問題点がある。
【００２１】
（２）第１のストラップホルダー２３および第２のストラップホルダー２５は略半球状であるので、小さくつまみにくい問題点もある。
本発明は、上記問題点に鑑みてなされたもので、その第１の課題は、一体化しやすいイアホンのストラップホルダーを提供することにある。
【００２２】
第２の課題は、つまみやすいイアホンのストラップホルダーを提供することにある。
【００２３】
【課題を解決するための手段】
上記課題を解決する請求項１記載の発明は、分岐した２本のコードのうちの一方のコードに設けられた第１のストラップホルダーと、他方のコードに設けられ、前記第１のストラップホルダーに係脱可能な第２のストラップホルダーとからなり、イアホン装着時に首の後部で係合させ、ネックレス状のコード環状部を形成するイアホンのストラップホルダーにおいて、前記第１のストラップホルダーに、前記第２のストラップホルダーと対向する面が開放され、内周面に第１の突部が形成された円筒部を形成し、前記第２のストラップホルダーの前記第１のストラップホルダーとの対向面に、前記第１のストラップホルダーの前記円筒部の内部に挿入可能で、外周面に、前記第１の突部に当接可能な第２の突部が形成された円柱部を形成し、前記第１の突部、前記第２の突部のうち、少なくともどちらか一方の突部は弾性を有し、前記第１の突部、前記第２の突部のうち、少なくともどちらか一方の突部は、周方向全域にわたって形成されていることを特徴とするイアホンのストラップホルダーである。
【００２４】
前記第１のストラップホルダーに、前記第２のストラップホルダーと対向する面が開放され、内周面に第１の突部が形成された円筒部を形成し、前記第２のストラップホルダーの前記第１のストラップホルダーとの対向面に、前記円筒部の内部に挿入可能で、外周面に、前記第１の突部に当接可能な第２の突部が形成された円柱部を形成し、前記第１の突部、前記第２の突部のうち、少なくともどちらか一方の突部は弾性を有し、前記第１の突部、前記第２の突部のうち、少なくともどちらか一方の突部は、周方向全域にわたって形成されていることにより、第１のストラップホルダー，第２のストラップホルダーとの周方向の位置合わせが不要となり、第１のストラップホルダーと第２のストラップホルダーとを一体化しやすい。
【００２５】
請求項２記載の発明は、第２のストラップホルダーの前記円柱部を前記第１のストラップホルダーと対向する面が開放された中空の円柱部とし、前記第１のストラップホルダーの前記円筒部の内部に、前記第２のストラップホルダーとの対向面が開放され、前記第２のストラップホルダーの円柱部の内径より小さな外径で、前記円筒部の開放面より外部に突出するガイド円筒部を形成し、前記第２のストラップホルダーの前記中空の円柱部の内部に、前記第１のストラップホルダーのガイド円筒部の内径より小さな外径で、前記第２のストラップホルダーの前記中空の円柱部より外部に突出するガイド円柱部を形成したことを特徴とする請求項１記載のイアホンのストラップホルダーである。
【００２６】
最初に、第１のストラップホルダーのガイド円筒部と第２のストラップホルダーのガイド円柱部とが係合することで、第１のストラップホルダーの円筒部への第２のストラップホルダーの円柱部の挿入がスムーズとなる。
【００２７】
請求項３記載の発明は、前記第１のストラップホルダー、前記第２のストラップホルダーにコードが挿通する穴を設け、前記第１のストラップホルダーのガイド円筒部に前記第２のストラップホルダーのガイド円柱部が係合した際に、前記コードが前記ガイド円筒部、前記ガイド円柱部により前記穴の壁面に押圧されるように構成したことを特徴とする請求項２記載のイアホンのストラップホルダーである。
【００２８】
前記第１のストラップホルダー、前記第２のストラップホルダーにコードが挿通する穴を設け、前記第１のストラップホルダーのガイド円筒部に前記第２のストラップホルダーのガイド円柱部が係合した際に、前記コードが前記ガイド円筒部、前記ガイド円柱部により前記穴の壁面に押圧されるように構成したことにより、第１のストラップホルダーと第２のストラップホルダーとを一体化すると、コードが穴の壁面に押圧され、コードと、ストラップホルダーとの相対移動が禁止され、コード環状部のコードを引っ掛けてもイアホンが耳から外れことがなくなる。
【００２９】
請求項４記載の発明は、前記第１のストラップホルダー、前記第２のストラップホルダーの表面に把持部を形成したことを特徴とする請求項１乃至４のいずれかに記載のイアホンのストラップホルダーである。
【００３０】
前記第１のストラップホルダー、前記第２のストラップホルダーの表面に把持部を形成したことにより、第１のストラップホルダー、第２のストラップホルダーをつまみやすい。
【００３１】
尚、本明細書で、円筒とは「中空の円柱」と定義する。
【００３２】
【発明の実施の形態】
次に図面を用いて本発明の実施の形態を説明する。
最初に、図５を用いて実施の形態のストラップホルダーが設けられたイアホンの全体構成を説明する。
【００３３】
図において、イアホン５１は、再生機器に接続されるプラグ５３と、耳に装着されるイアホン本体５５，５７と、プラグ５３，イアホン本体５５，５７を接続するコード５９，６１とに大別される。
【００３４】
そして、コード５９，６１の中間部には、結束部材６３が設けられ、結束部材６３とプラグ５３との間のコード５９，６１は一体化され、結束部材６３と各イアホン本体５５，５７との間のコード５９，６１は分離されている。
【００３５】
尚、結束部材６３の代わりに、再生音量を調整するボリュームやイアホン５１が接続される再生機器のコントールを行なうボックスを設けてもよい。
そして、結束部材６３と各イアホン本体５５，５７間の分離したコード５９，６１には、実施の形態例のストラップホルダー３００が設けられている。
【００３６】
このストラップホルダー３００は、コード５９に設けられた第１のストラップホルダー１００と、コード６１に設けられ、第１のストラップホルダー１００に係脱可能な第２のストラップホルダー２００とからなっている。
【００３７】
このような構成のイアホン５１は、図６に示すように、装着時に首の後部で第１のストラップホルダー１００と第２のストラップホルダー２００とを係合させ、ネックレス状のコード環状部７７を形成する。
【００３８】
このようなコード環状部７７を形成することにより、コード５９，６１を引っ掛けても、耳からイアホン本体５５，５７が外れにくくなる。
次に、本実施の形態のストラップホルダー３００の説明を行なう。
【００３９】
図１および図２に示すように、第１のストラップホルダー１００には、第２のストラップホルダー２００と対向する面が開放され、内周面に第１の突部１０１（図２（ａ），（ｂ），（ｄ）参照）が形成された円筒部１０３が形成されている。
【００４０】
尚、本実施の形態では、第１の突部１０１を円筒部１０３の内周面の周方向全域に設けた。
次に、図３および図４に示すように、第２のストラップホルダー２００の第１のストラップホルダー１００との対向面には、第１のストラップホルダー１００の円筒部１０３の内部に挿入可能で、外周面に、第１の突部１０１に当接可能な第２の突部２０１が形成された円柱部２０３が形成されている。
【００４１】
尚、本実施の形態では、この第２のストラップホルダー２００の円柱部２０３は、第１のストラップホルダー１００と対向する面が開放された中空の円柱とした。更に、第２の突部２０１を円柱部２０３の外周面の周方向全域に設けた。
【００４２】
次に、図１および図２に示すように、第１のストラップホルダー１００の円筒部１０３の内部には、第２のストラップホルダー２００との対向面が開放され、第２のストラップホルダー２００の円柱部２０３の内径より小さな外径で、円筒部１０３の開放面より外部に突出するガイド円筒部１０５が形成されている。
【００４３】
又、図３および図４に示すように、第２のストラップホルダー２００の中空の円柱部２０３の内部には、第１のストラップホルダー１００のガイド円筒部１０５の内径より小さな外径で、第２のストラップホルダー２００の中空の円柱部２０３より外部に突出するガイド円柱部２０５が形成されている。
【００４４】
図１〜図４に示すように、第１のストラップホルダー１００、第２のストラップホルダー２００には、コード５９，６１が挿通する穴１０７，２０７が形成され、これらの穴１０７，２０７は、第１のストラップホルダー１００のガイド円筒部１０５に第２のストラップホルダー２００のガイド円柱部２０５が係合した際に、コード５９，６１がガイド円筒部１０５、ガイド円柱部２０５により穴１０７，２０７の壁面に押圧されるように構成している。
【００４５】
図１および図２に示すように、第１のストラップホルダー１００の表面には、対向位置関係にある凹状の把持部１１１，１１３が形成され、同様に、図３および図４に示すように、第２のストラップホルダー２００の表面にも、対向位置関係にある凹状の把持部２１１，２１３が形成されている。
【００４６】
そして、第１のストラップホルダー１００，第２のストラップホルダー２００の材質は、弾性を有する樹脂であるポリアセタールとした。
上記構成によれば、以下のような効果を得ることができる。
【００４７】
（１）第１のストラップホルダー１００に、第２のストラップホルダー２００と対向する面が開放され、内周面に第１の突部１０１が形成された円筒部１０３を形成し、第２のストラップホルダー２００の第１のストラップホルダー１００との対向面に、円筒部１０３の内部に挿入可能で、外周面に、第１の突部１０１に当接可能な第２の突部２０１が形成された円柱部２０３を形成し、更に、第１の突部１０１、第２の突部２０１は、弾性を有し、第１の突部１０１、第２の突部２０１は、周方向全域にわたって形成されていることにより、第１のストラップホルダー１００，第２のストラップホルダー２００との周方向の位置合わせが不要となり、第１のストラップホルダー１００と第２のストラップホルダー２００とを一体化しやすい。
【００４８】
（２）最初に、第１のストラップホルダー１００のガイド円筒部１０５と第２のストラップホルダー２００のガイド円柱部２０５とが係合することで、第１のストラップホルダー１００の円筒部１０３への第２のストラップホルダー２００の円柱部２０３の挿入がスムーズとなる。
【００４９】
（３）第１のストラップホルダー１００のガイド円筒部１０５に第２のストラップホルダー２００のガイド円柱部２０５が係合した際に、コード５９，６１がガイド円筒部１０５、ガイド円柱部２０５により穴１０７，２０７の壁面に押圧されるように構成したことにより、第１のストラップホルダー１００と第２のストラップホルダー２００とを一体化すると、コード５９，６１が穴１０７，２０７の壁面に押圧され、コード５９，６１と、ストラップホルダー３００との相対移動が禁止され、コード環状部７７のコードを引っ掛けてもイアホン５１が耳から外れことがなくなる。
【００５０】
（４）第１のストラップホルダー１００、第２のストラップホルダー２００の表面に把持部１１１，１１３，２１１，２１３を形成したことにより、第１のストラップホルダー１００、第２のストラップホルダー２００をつまみやすい。
【００５１】
尚、本発明は、上記実施の形態に限定するものではない。
第１のストラップホルダー，第２のストラップホルダーの材質は、ポリアセタールとしたが、これに限定するものではなく、使用環境を考慮し、好適な樹脂材料を選定することが可能である。
【００５２】
又、第１の突部１０１、第２の突部２０１は、両方とも弾性を有し、周方向全域にわたって形成したが、第１の突部１０１、第２の突部２０１のうち、少なくともどちらか一方の突部が弾性を有し、第１の突部１０１、第２の突部２０１のうち、少なくともどちらか一方の突部が、周方向全域にわたって形成されていれば、第１のストラップホルダー１００，第２のストラップホルダー２００との周方向の位置合わせが不要となり、第１のストラップホルダー１００と第２のストラップホルダー２００とを一体化しやすい。
【００５３】
又、第１の突部１０１，第２の突部２０１は第１のストラップホルダー１００，第２のストラップホルダー２００と一体的に形成したが、Ｏリング等を用いても良い。
【００５４】
【発明の効果】
以上述べたように、請求項１記載の発明によれば、  前記第１のストラップホルダーに、前記第２のストラップホルダーと対向する面が開放され、内周面に第１の突部が形成された円筒部を形成し、前記第２のストラップホルダーの前記第１のストラップホルダーとの対向面に、前記円筒部の内部に挿入可能で、外周面に、前記第１の突部に当接可能な第２の突部が形成された円柱部を形成し、前記第１の突部、前記第２の突部のうち、少なくともどちらか一方の突部は弾性を有し、前記第１の突部、前記第２の突部のうち、少なくともどちらか一方の突部は、周方向全域にわたって形成されていることにより、第１のストラップホルダー，第２のストラップホルダーとの周方向の位置合わせが不要となり、第１のストラップホルダーと第２のストラップホルダーとを一体化しやすい。
【００５５】
請求項２記載の発明によれば、最初に、第１のストラップホルダーのガイド円筒部と第２のストラップホルダーのガイド円柱部とが係合することで、第１のストラップホルダーの円筒部への第２のストラップホルダーの円柱部の挿入がスムーズとなる。
【００５６】
請求項３記載の発明によれば、前記第１のストラップホルダー、前記第２のストラップホルダーにコードが挿通する穴を設け、前記第１のストラップホルダーのガイド円筒部に前記第２のストラップホルダーのガイド円柱部が係合した際に、前記コードが前記ガイド円筒部、前記ガイド円柱部により前記穴の壁面に押圧されるように構成したことにより、第１のストラップホルダーと第２のストラップホルダーとを一体化すると、コードが穴の壁面に押圧され、コードと、ストラップホルダーとの相対移動が禁止され、コード環状部のコードを引っ掛けてもイアホンが耳から外れことがなくなる。
【００５７】
請求項４記載の発明によれば、前記第１のストラップホルダー、前記第２のストラップホルダーの表面に把持部を形成したことにより、第１のストラップホルダー、第２のストラップホルダーをつまみやすい。
【図面の簡単な説明】
【図１】第１のストラップホルダーを示す図で、（ａ）図は正面図、（ｂ）図は左側面図、（ｃ）図は右側面図、（ｄ）図は下面図である。
【図２】（ａ）図は図１の切断線Ａ−Ａでの断面図、（ｂ）図は図１の切断線Ｂ−Ｂでの断面図、（ｃ）図は図１の切断線Ｃ−Ｃでの断面図、（ｄ）図は図２（ａ）のＤ部分の拡大図である。
【図３】第２のストラップホルダーを示す図で、（ａ）図は正面図、（ｂ）図は左側面図、（ｃ）図は右側面図、（ｄ）図は下面図である。
【図４】（ａ）図は図３の切断線Ｅ−Ｅでの断面図、（ｂ）図は図３の切断線Ｆ−Ｆでの断面図、（ｃ）図は図３の切断線Ｇ−Ｇでの断面図である。
【図５】実施の形態のストラップホルダーが設けられたイアホンの全体構成を説明する図である。
【図６】図５のイアホンを装着した場合の斜視図で、（ａ）図はイアホン装着者の正面から見た斜視図、（ｂ）図はイアホン装着者の背面から見た斜視図である。
【図７】第１の従来例のイアホンの構成図である。
【図８】図７のイアホンを装着した場合の斜視図であり、（ａ）図はイアホン装着者の正面から見た斜視図、（ｂ）図はイアホン装着者の背面から見た斜視図である。
【図９】第２の従来例のイアホンの構成図である。
【図１０】図９のイアホンを装着した場合の斜視図であり、（ａ）図はイアホン装着者の正面から見た斜視図、（ｂ）図はイアホン装着者の背面から見た斜視図である。
【図１１】図９のストラップホルダーを説明する斜視図である。
【図１２】図９のストラップホルダーを説明する断面図である。
【符号の説明】
５１  イアホン
１００  第１のストラップホルダー
１０１  第１の突部
１０３  円筒部
２００  第２のストラップホルダー
２０１  第２の突部
２０３  円柱部
３００  ストラップホルダー
【図１】
0003854115.tif 000002
【図２】
0003854115.tif 000003
【図３】
0003854115.tif 000004
【図４】
0003854115.tif 000005
【図５】
0003854115.tif 000006
【図６】
0003854115.tif 000007
【図７】
0003854115.tif 000008
【図８】
0003854115.tif 000009
【図９】
0003854115.tif 000010
【図１０】
0003854115.tif 000011
【図１１】
0003854115.tif 000012
【図１２】
0003854115.tif 000013